(57)【要約】      （修正有）【課題】使用勝手を向上させることができる走行玩具を提供する。【解決手段】走行玩具Ｒは、本体１と、この本体１に取り付けられたファスナー２とを備え、ファスナー２は、ファスナーチェーンの務歯列を噛合・離脱させるスライダー胴体２３を有し、このスライダー胴体２３又は、スライダー胴体２３の引き手に操作者が指で掴む大きさを有する玩具３が取り付けられているものである。【選択図】図１
2011244988.tif 000002
【特許請求の範囲】
【請求項１】
本体と、
この本体に取り付けられたファスナーとを備え、
前記ファスナーは、ファスナーチェーンの務歯列を噛合・離脱させるスライダー胴体を有し、
このスライダー胴体又は、前記スライダー胴体の引き手に操作者が指で掴む大きさを有する玩具が取り付けられている
ことを特徴とする走行玩具。
【請求項２】
本体と、
この本体に取り付けられたファスナーとを備え、
前記ファスナーは、ファスナーチェーンの務歯列を噛合・離脱させるスライダー胴体を有し、
前記スライダー胴体の引き手自体が操作者が指で掴む大きさを有する玩具である
ことを特徴とする走行玩具。
【請求項３】
玩具に指で摘むことができる引き手が取り付けられている
ことを特徴とする請求項１又は請求項２記載の走行玩具。
【請求項４】
本体は、物を出し入れする開口部を有した容器であり、
ファスナーは、前記開口部を開閉する
ことを特徴とする 請求項１〜３のいずれかの走行玩具。
【請求項５】
玩具は、電車玩具であり、
本体は、物を出し入れする開口部を有した容器であり、
ファスナーは、前記開口部を開閉するものであり、
前記ファスナーの少なくとも、一方側に位置する前記本体の部位に沿線の風景が描かれている
ことを特徴とする 請求項１〜４のいずれかの走行玩具。
【請求項６】
本体は、載置面に立設できる底面部を有すると共に、物を出し入れする開口部を有した容器であり、
前記本体は、前記底面部の一方側より立設する第１の立設面部と、前記底面部の他方側より立設する第２の立設面部と、この第２の立設面部と前記第１の立設面部とを接続する天井面部とを有し、
前記開口部は、前記天井面部、前記第１の立設面部及び前記第２の立設面部に連続して設けられたものであり、
ファスナーは、前記開口部を開閉するものである
ことを特徴とする 請求項１〜５のいずれかの走行玩具。
【請求項７】
物を出し入れする開口部を有した容器本体と、
この容器本体に取り付けられたファスナーとを備え、
前記ファスナーは、ファスナーチェーンの務歯列を噛合・離脱させるスライダー胴体を有し、
このスライダー胴体又は、前記スライダー胴体の引き手に操作者が指で掴む大きさを有する玩具が取り付けられている
ことを特徴とする容器。
【請求項８】
物を出し入れする開口部を有した容器本体と、
この容器本体に取り付けられたファスナーとを備え、
前記ファスナーは、ファスナーチェーンの務歯列を噛合・離脱させるスライダー胴体を有し、
前記スライダー胴体の引き手自体が操作者が指で掴む大きさを有する玩具である
ことを特徴とする容器。
【請求項９】
玩具に指で摘むことができる引き手が取り付けられている
ことを特徴とする請求項７又は請求項８記載の容器。
【請求項１０】
玩具は、電車玩具であり、
ファスナーの少なくとも、一方側に位置する容器本体の部位に沿線の風景が描かれている
ことを特徴とする 請求項７〜９のいずれかの容器。
【請求項１１】
容器本体は、載置面に立設できる底面部と、この底面部の一方側より立設する第１の立設面部と、前記底面部の他方側より立設する第２の立設面部と、この第２の立設面部と前記第１の立設面部とを接続する天井面部とを有し、
前記開口部は、前記天井面部、前記第１の立設面部及び前記第２の立設面部に連続して設けられたものであり、
ファスナーは、前記開口部を開閉するものである
ことを特徴とする請求項７〜１０のいずれかの容器。
【発明の詳細な説明】
【技術分野】
【０００１】
本発明は、走行玩具及び容器に係り、特に、使用勝手を向上させることができる走行玩具及び容器に関する。
【背景技術】
【０００２】
従来、走行遊びとアクセサリーとして用いることができるアクセサリーを兼ねる走行玩具がある（例えば、特許文献１参照）。
これは、走行玩具の底面に設けた第１のホック部と靴下の一側上部に設けた第２のホック部とを結合させてアクセサリーとして用いることができ、また、前記した第１のホック部と第２のホック部とを分離させ、走行玩具を走行面において、走行玩具に内在した駆動手段により、走行させるようにしたものである。
【先行技術文献】
【特許文献】
【０００３】
【特許文献１】実開昭６３−１０００９７号公報
【発明の概要】
【発明が解決しようとする課題】
【０００４】
しかしながら、上述したアクセサリーを兼ねる走行玩具は、走行玩具としての機能を持たせるためには、第１のホック部と第２のホック部とを一々分離させねばならないと共に、分離した後、第１のホック部と第２のホック部との結合を忘れて、走行玩具を紛失してしまい使用勝手が良好でないという問題点があった。
【０００５】
本発明は、使用勝手を向上させることができる走行玩具及び容器を提供することを目的とする。
【課題を解決するための手段】
【０００６】
請求項１記載の走行玩具は、本体と、この本体に取り付けられたファスナーとを備え、前記ファスナーは、ファスナーチェーンの務歯列を噛合・離脱させるスライダー胴体を有し、このスライダー胴体又は、前記スライダー胴体の引き手に操作者が指で掴む大きさを有する玩具が取り付けられているものである。
【０００７】
また、請求項２記載の走行玩具は、本体と、この本体に取り付けられたファスナーとを備え、前記ファスナーは、ファスナーチェーンの務歯列を噛合・離脱させるスライダー胴体を有し、前記スライダー胴体の引き手自体が操作者が指で掴む大きさを有する玩具である。
【０００８】
また、請求項３記載の走行玩具は、請求項１又は請求項２記載の走行玩具において、玩具に指で摘むことができる引き手が取り付けられているものである。
【０００９】
また、請求項４記載の走行玩具は、請求項１〜３のいずれかの走行玩具において、本体は、物を出し入れする開口部を有した容器であり、ファスナーは、前記開口部を開閉するものである。
【００１０】
また、請求項５記載の走行玩具は、請求項１〜４のいずれかの走行玩具において、玩具は、電車玩具であり、本体は、物を出し入れする開口部を有した容器であり、ファスナーは、前記開口部を開閉するものであり、前記ファスナーの少なくとも、一方側に位置する前記本体の部位に沿線の風景が描かれているものである。
【００１１】
また、請求項６記載の走行玩具は、 請求項１〜５のいずれかの走行玩具において、本体は、載置面に立設できる底面部を有すると共に、物を出し入れする開口部を有した容器であり、前記本体は、前記底面部の一方側より立設する第１の立設面部と、前記底面部の他方側より立設する第２の立設面部と、この第２の立設面部と前記第１の立設面部とを接続する天井面部とを有し、前記開口部は、前記天井面部、前記第１の立設面部及び前記第２の立設面部に連続して設けられたものであり、ファスナーは、前記開口部を開閉するものである。
【００１２】
また、請求項７記載の容器は、物を出し入れする開口部を有した容器本体と、この容器本体に取り付けられたファスナーとを備え、前記ファスナーは、ファスナーチェーンの務歯列を噛合・離脱させるスライダー胴体を有し、このスライダー胴体又は、前記スライダー胴体の引き手に操作者が指で掴む大きさを有する玩具が取り付けられているものである。
【００１３】
また、請求項８記載の容器は、物を出し入れする開口部を有した容器本体と、この容器本体に取り付けられたファスナーとを備え、前記ファスナーは、ファスナーチェーンの務歯列を噛合・離脱させるスライダー胴体を有し、前記スライダー胴体の引き手自体が操作者が指で掴む大きさを有する玩具である。
【００１４】
また、請求項９記載の容器は、請求項７又は請求項８記載の容器において、玩具に指で摘むことができる引き手が取り付けられているものである。
【００１５】
また、請求項１０記載の容器は、請求項７〜９のいずれかの容器において、玩具は、電車玩具であり、ファスナーの少なくとも、一方側に位置する容器本体の部位に沿線の風景が描かれているものである。
【００１６】
また、請求項１１記載の容器は、請求項７〜１０のいずれかの容器において、容器本体は、載置面に立設できる底面部と、この底面部の一方側より立設する第１の立設面部と、前記底面部の他方側より立設する第２の立設面部と、この第２の立設面部と前記第１の立設面部とを接続する天井面部とを有し、前記開口部は、前記天井面部、前記第１の立設面部及び前記第２の立設面部に連続して設けられたものであり、ファスナーは、前記開口部を開閉するものである。
【発明の効果】
【００１７】
請求項１記載の走行玩具によれば、スライダー胴体又は、スライダー胴体の引き手に操作者が指で掴む大きさを有する玩具が取り付けられているため、使用にあっては、操作者が指で玩具を摘んで、ファスナー上をスライドさせれば良く、従来のように、走行玩具を紛失することが防止され、使用勝手を向上させることができ、しかも、玩具をファスナーを介して前進又は後退させて、走行させることができ、更に、玩具が、例えば、電車玩具であれば、ファスナーチェーンの務歯列を線路に想起させ、線路上の電車玩具としての臨場感をも与えることができる。
【００１８】
また、請求項２記載の走行玩具によれば、スライダー胴体の引き手自体が操作者が指で掴む大きさを有する玩具であるため、使用にあっては、操作者が指で玩具を摘んで、ファスナー上をスライドさせれば良く、従来のように、走行玩具を紛失することが防止され、使用勝手を向上させることができ、しかも、玩具をファスナーを介して前進又は後退させて、走行させることができ、更に、玩具が、例えば、電車玩具であれば、ファスナーチェーンの務歯列を線路に想起させ、線路上の電車玩具としての臨場感をも与えることができる。
【００１９】
また、請求項３記載の走行玩具によれば、前述した請求項１又は請求項２記載の発明の効果に加え、玩具に指で摘むことができる引き手が取り付けられているため、引き手を指で摘んで玩具の全体形状を見ながら、ファスナーを介して玩具を前進又は後退させて、走行させることができる。
【００２０】
また、請求項４記載の走行玩具によれば、前述した請求項１〜３記載の発明の効果に加え、走行玩具に物を収納できる容器の機能をも付加することができる。
【００２１】
また、請求項５記載の走行玩具によれば、前述した請求項１〜４記載の発明の効果に加え、走行玩具に物を収納できる容器の機能をも付加することができ、しかも、ファスナーの一方側に位置する前記本体の部位に沿線の風景が描かれているため、電車玩具に臨場感を与えることができる。
【００２２】
また、請求項６記載の走行玩具によれば、前述した請求項１〜５記載の発明の効果に加え、走行玩具に物を収納できる容器の機能をも付加することができ、しかも、開口部は、天井面部、第１の立設面部及び第２の立設面部に連続して設けられたものであり、ファスナーは、前記開口部を開閉するものであるため、操作者が指で玩具を摘んで、該玩具をファスナーを介して前進又は後退させると共に、第１の立設面部及び第２の立設面部に設けたファスナーにより、玩具を上りのみならず下り状態で走行させることができる。
【００２３】
また、請求項７記載の容器によれば、スライダー胴体又は、スライダー胴体の引き手に操作者が指で掴む大きさを有する玩具が取り付けられているため、使用にあっては、操作者が指で玩具を摘んで、ファスナー上をスライドさせれば良く、従来のように、走行玩具を紛失することが防止され、使用勝手を向上させることができ、しかも、玩具の両側面の大きさは、指（例えば、親指と人差し指）で摘む大きさであるため、玩具の両側面を掴めば良く、容器本体の開口部の開閉操作が良好であり、更に、ファスナーのスライダー胴体又は、スライダー胴体の引き手に取り付けられた玩具、例えば、電車玩具であれば、ファスナーチェーンの務歯列を線路に想起させ、操作者が指で電車玩具を摘んで、ファスナーを介して前進又は後退させて走行させる玩具的使用も可能である。
【００２４】
また、請求項８記載の容器によれば、スライダー胴体の引き手自体が操作者が指で掴む大きさを有する玩具であるため、使用にあっては、操作者が指で玩具を摘んで、ファスナー上をスライドさせれば良く、従来のように、走行玩具を紛失することが防止され、使用勝手を向上させることができ、しかも、玩具の両側面の大きさは、指（例えば、親指と人差し指）で摘む大きさであるため、玩具の両側面を掴めば良く、容器本体の開口部の開閉操作が良好であり、更に、玩具、例えば、電車玩具であれば、ファスナーチェーンの務歯列を線路に想起させ、操作者が指で電車玩具を摘んで、ファスナーを介して前進又は後退させて走行させる玩具的使用も可能である。
【００２５】
また、請求項９記載の走行玩具によれば、前述した請求項７又は請求項８記載の発明の効果に加え、玩具に指で摘むことができる引き手が取り付けられているため、引き手を指で摘んで玩具の全体形状を見ながら、ファスナーを介して玩具を前進又は後退させて、走行させることができる。
【００２６】
また、請求項１０記載の容器によれば、前述した請求項７〜９記載の発明の効果に加え、走行玩具に電車玩具的機能をも付加することができ、しかも、ファスナーの一方側に位置する容器本体の部位に沿線の風景が描かれているため、電車玩具に臨場感を与えることができる。
【００２７】
また、請求項１１記載の容器によれば、前述した請求項７〜１０記載の発明の効果に加え、容器にアクセサリーを兼ねる走行玩具の機能をも付加することができ、しかも、開口部は、天井面部、第１の立設面部及び第２の立設面部に連続して設けられたものであり、ファスナーは、前記開口部を開閉するものであるため、操作者が指で玩具を摘んで、ファスナー上を介して前進又は後退させると共に、第１の立設面部及び第２の立設面部に設けたファスナーにより、玩具を上りのみならず下り状態で走行させることができる。
【図面の簡単な説明】
【００２８】
【図１】図１（ａ）は、本発明の一実施例の走行玩具（又は容器）の概略的斜視図であり、図１（ｂ）は、図１（ａ）の玩具がスライダー胴体に取り付けられる前の状態の走行玩具（又は容器）の概略的斜視図である。
【図２】図２は、図１の走行玩具（又は容器）の電車玩具を指で摘んでいる状態の概略的図である。
【図３】図３は、図１の走行玩具（又は容器）の開口部の開状態を示す概略的斜視図である。
【図４】図４は、図３の一部の概略的一部平面図である。
【図５】図５は、図１の走行玩具（又は容器）と異なる他の実施例の走行玩具（又は容器）の概略的斜視図である。
【図６】図６は、図５の開口部の開状態を示す概略的斜視図である。
【図７】図７は、図６の７−７線による概略的断面図である。
【図８】図８は、図５の走行玩具（又は容器）と異なる他の実施例の走行玩具（又は容器）の概略的斜視図である。
【図９】図９は、図８の９−９線による概略的断面図である。
【図１０】図１０は、図８の走行玩具（又は容器）と異なる他の実施例の走行玩具（又は容器）の概略的斜視図である。
【図１１】図１１は、図１０の走行玩具（又は容器）と異なる他の実施例の走行玩具（又は容器）の概略的斜視図である。
【図１２】図１２は、図１１の走行玩具（又は容器）の開口部を閉じる方向へ電車玩具を移動させる状態を示す概略的斜視図である。
【図１３】図１３は、図１１の走行玩具（又は容器）と異なる他の実施例の走行玩具（又は容器）の概略的斜視図である。
【図１４】図１４は、図１３の走行玩具（又は容器）と異なる他の実施例の走行玩具（又は容器）の概略的斜視図である。
【図１５】図１５は、図１４の走行玩具（又は容器）の一部を拡大して示す概略的一部拡大正面図である。
【発明を実施するための形態】
【００２９】
本発明の一実施例の「走行玩具及び容器」を図面を参照して説明する。
図１に示すＲは、走行玩具[又は、容器（容器としては、例えば、ペンケース、財布、シューズケース、ウエストポーチ等である。）］で、走行玩具（又は容器）Ｒは、本体（容器本体）１と、この本体（容器本体）１に取り付けられたファスナー２とを備えている（図１乃至図４参照）。
ファスナー２は、図４に示すように、ファスナーチェーン２１、２２の務歯列２１ａ、２２ａを噛合・離脱させるスライダー胴体２３を有している。そして、スライダー胴体２３には、操作者が指で掴む大きさを有する玩具３、例えば、電車玩具３が接着、嵌合等により取り付けられている。
【００３０】
従って、図１乃至図４記載の走行玩具Ｒによれば、スライダー胴体２３に玩具３が取り付けられているため、使用にあっては、操作者が指で玩具３を摘んで（図２参照）、ファスナー２上をスライドさせれば良く、従来のように、走行玩具を紛失することが防止され、使用勝手を向上させることができ、しかも、玩具３をファスナー２を介して前進又は後退させて、走行させることができ、更に、玩具３が、例えば、電車玩具であれば、ファスナーチェーン２１、２２の務歯列２１ａ、２２ａを線路に想起させ、線路上の電車玩具としての臨場感をも与えることができる。
【００３１】
なお、上述した走行玩具Ｒにおいて、本体１は、物を出し入れする開口部１ａを有した容器とすれば、走行玩具Ｒに「物を収納できる容器」の機能をも付加することができる。その際、ファスナー２は、開口部１ａを開閉するものとなる。
【００３２】
また、上述した走行玩具Ｒにおいて、ファスナー２の一方側（ファスナーチェーン２１又は、ファスナーチェーン２２）又は両側（ファスナーチェーン２１、２２）に位置する本体１の部位に、図１に示すような風景が描かれていると、電車玩具３に更に臨場感を与えることができる。
【００３３】
また、上述した走行玩具Ｒにおいて、本体１、開口部１ａ及びファスナー２を図５乃至図７に示すようにしても良い。
即ち、本体１は、載置面１０に立設できる底面部１１を有すると共に、物を出し入れする開口部１ａを有した容器であり、底面部１１の一方側より立設する第１の立設面部１２と、底面部１１の他方側より立設する第２の立設面部１３と、この第２の立設面部１３と第１の立設面部１２とを接続する天井面部１４とを有している。
そして、開口部１ａは、天井面部１４、第１の立設面部１２及び第２の立設面部１３に連続して設けられたもので、また、ファスナー２は、開口部１ａを開閉するものである
かかる走行玩具Ｒによれば、前述したと同様、走行玩具Ｒに容器の機能をも付加することができ、しかも、開口部１ａは、天井面部１４、第１の立設面部１２及び第２の立設面部１３に連続して設けられたものであり、ファスナー２は、開口部１ａを開閉するものであるため、操作者が指で玩具３を摘んで、ファスナー２上を介して前進又は後退させると共に、第１の立設面部１２及び第２の立設面部１３に設けたファスナー２により、玩具３を上りのみならず下り状態で走行させることができる。
【００３４】
また、上述した走行玩具Ｒにおいて、本体１は、立体的形状となっているが、本願発明にあっては、これに限らず、本体１は、扁平状となった平袋（ファスナーケース）においても同様に適用できるものである。
即ち、図８及び図９に示す走行玩具Ｒは、開口部１ａの開閉をファスナー２により行うもので、１Ａ、１Ｂは、本体１内に設けられた物を収納する収納部である。なお、図８及び図９に示す２’は第２のファスナーで、２’ａは第２のファスナー２’のスライダー胴体の引き手である。
【００３５】
また、上述した走行玩具Ｒにおいて、図２に示すように、操作者が指で玩具３を摘んで、ファスナー２上をスライドさせるようにしたが、本願発明にあっては、これに限らず、玩具３の先端に引き手(ツマミ）を設けたものにおいても同様に適用できるものである。
即ち、図１０に示す１０は、玩具３の先端に取り付けられた引き手(ツマミ）である。引き手(ツマミ）１０を指で引っ張って移動させることにより、上述した走行玩具Ｒの玩具３の側面を指で摘んで走行させたもの（図２参照）に比べ、玩具３の全体形状を見ながら操作でき、玩具３により臨場感を与えることができる。
【００３６】
また、図１０に示す走行玩具Ｒの引き手(ツマミ）１０を使用する形態においては、玩具３の引き手(ツマミ）１０を指で引っ張る方向、つまり、前進方向しか移動できないが、本願発明にあっては、これに限らず、図１１及び図１２に示すように、引き手(ツマミ）１０を玩具３の天井面に取り付け、玩具３の前進方向(図１２参照)のみならず、玩具３の後退方向(図１１参照)へも移動させるようにすることができる。
【００３７】
また、上述した走行玩具Ｒにおいて、図１（ｂ）に示すように、玩具３をファスナーチェーン２１、２２の務歯列２１ａ、２２ａを噛合・離脱させるスライダー胴体２３に取り付けるようにしたが、本願発明にあっては、これに限らず、図１３に示すように、玩具３をファスナー２のスライダー胴体２３の引き手１０に、接着、嵌め込み、差し込み等により取り付けるようにしても良い。
【００３８】
また、上述した走行玩具Ｒにおいて、玩具３をファスナー２のスライダー胴体２３の引き手１０に、接着、嵌め込み、差し込み等により取り付けるようにしたが、本願発明にあっては、これに限らず、図１３に示す玩具３と引き手１０を一体化（例えば、ダイカスト、金具インサート等により一体化）、つまり、図１４及び図１５に示すように、引き手自体が操作者が指で掴む大きさを有する玩具３’としても良い。なお、図１４及び図１５に示す３１は、スライダー胴体２３に接続する接続部位である。
【００３９】
また、上述した走行玩具Ｒにおいて、玩具３、３’を電車玩具としたが、本願発明にあっては、これに限らず、図示しないが、船舶、航空機、ヘリコプター、飛行船、車、バス、バイク、戦車・ブルドーザー・トレーラー等の特殊車両、ロケット・スペースシャトル、戦闘ロボット・メカ、キテイ（登録商標）等のキャラクターグッズ、犬・猫・クマ、うさぎ、羊、象、イルカ、鯨等の動物、昆虫、魚、ドラゴン・ペガサス等の架空生物を模した玩具にも同様に適用できるものである。
【００４０】
なお、上述した走行玩具Ｒは、物を出し入れする開口部を有した容器に主体をおけば、物を入れる（入れ物）容器Ｒであり、該容器Ｒによれば、前述した実施例と同様に、スライダー胴体２３に玩具、例えば、電車玩具が取り付けられているため、使用にあっては、操作者が指で玩具３を摘んで、ファスナー２上をスライドさせれば良く、従来のように、走行玩具を紛失することが防止され、使用勝手を向上させることができ、しかも、容器本体１に取り付けられたファスナー２のスライダー胴体２３に玩具３が立設して取り付けられているため、ファスナーチェーン２１、２２の務歯列２１ａ、２２ａを線路に想起させ、線路上の玩具３を一種のアクセサリーとして用いることができると共に、玩具３の両側面の大きさは、指（例えば、親指と人差し指）で摘む大きさであるため、立設した玩具３の両側面を掴めば良く、操作性が良好であり、更に、操作者が指で玩具３を摘んで、ファスナー２を介して前進又は後退させて、走行させて、玩具的使用も可能となる。
【符号の説明】
【００４１】
Ｒ      走行玩具（容器）
１      本体（容器本体）
２      ファスナー
３      電車玩具
１０    引き手
２１    ファスナーチェーン
２２    ファスナーチェーン
２１ａ  務歯列
２２ａ  務歯列
２３    スライダー胴体
【図１】
2011244988.tif 000003
【図２】
2011244988.tif 000004
【図３】
2011244988.tif 000005
【図４】
2011244988.tif 000006
【図５】
2011244988.tif 000007
【図６】
2011244988.tif 000008
【図７】
2011244988.tif 000009
【図８】
2011244988.tif 000010
【図９】
2011244988.tif 000011
【図１０】
2011244988.tif 000012
【図１１】
2011244988.tif 000013
【図１２】
2011244988.tif 000014
【図１３】
2011244988.tif 000015
【図１４】
2011244988.tif 000016
【図１５】
2011244988.tif 000017